(57)【特許請求の範囲】
【請求項１】
左右に離間して配設された一対の脚体と、前記一対の脚体の上部間に架設された天板とを有するデスク本体の前記天板上に、パネル面を左右方向に向けて前後方向にパネル体を配設して取り付けるためのパネル体の取付構造であって、
前記パネル体の前端部側あるいは後端部側に取り付けられ、前記パネル体に上端側を接続して前記パネル体の下端面よりも下方に垂下する垂下部、及び前記垂下部の下端から前記パネル体の前後方向中央側に向けて延びる固定部を有する取付金具と、
前記脚体の前端部側あるいは後端部側の上端部側に設けられ、前記脚体の前端部あるいは後端部に開口しつつ前記脚体の前後方向中央側に向けて延び、前記取付金具の固定部が挿入される挿入凹所と、
前記取付金具を下方に押圧するとともに前記パネル体の下端面を前記天板に押圧させて前記パネル体を前記デスク本体に固定する固定手段とを備えていることを特徴とするパネル体の取付構造。
【請求項２】
請求項１記載のパネル体の取付構造において、
前記固定手段が、前記取付金具の固定部に貫通形成されたネジ孔と、該ネジ孔に前記固定部の下面側から螺合された固定ネジとを備え、
前記固定ネジは、先端が前記デスク本体に当接されていることを特徴とするパネル体の取付構造。
【請求項３】
請求項２記載のパネル体の取付構造において、
前記脚体に、前記ネジ孔に連通する挿通孔が形成されるとともに、該挿通孔が前記左右方向に延びる長孔として形成されていることを特徴とするパネル体の取付構造。
【請求項４】
請求項２または請求項３に記載のパネル体の取付構造において、
前記固定ネジの先端は、前記天板の下面に当接されていることを特徴とするパネル体の取付構造。
【請求項５】
左右に離間して配設された一対の脚体と、前記一対の脚体の上部間に架設された天板とを有するデスク本体の前記天板上に、パネル面を左右方向に向けて前後方向にパネル体を配設して取り付けるためのパネル体の取付構造を備え、
前記パネル体の取付構造が請求項１から請求項４のいずれか一項に記載のパネル体の取付構造であることを特徴とするデスク装置。
【発明の詳細な説明】
【技術分野】
【０００１】
本発明は、例えばオフィス等の執務空間で使用されるデスク装置の天板上に設置され、該天板上の空間を区画するパネル体の取付構造及びこれを備えたデスク装置に関する。
【背景技術】
【０００２】
例えばオフィス等の執務空間で使用されるデスク装置は、一般に、左右に離間して床面上に配設された一対の脚体と、脚体の上部間に架設された天板とを有するデスク本体を備えて構成されている。また、この種のデスク装置には、天板上にデスク装置の前後方向に沿ってパネル体（仕切りパネル）を設置し、複数の使用者がそれぞれ、パネル体で区画した各空間を使用できるようにしたり、天板の側端部にパネル体（サイドパネル）を設置して天板上の空間を外部と区画するようにして、使い勝手を良好にしたものがある。
【０００３】
一方、仕切りパネルやサイドパネルのパネル体をデスク本体の天板上に取り付ける方法として、パネル体の前端部や後端部の下端部側に固定金具を取り付け、この固定金具で、天板の前端部や後端部側を上下方向で挟み込んで把持するようにして、天板にパネル体を固定支持させる方法が多く採用されている（例えば、特許文献１、特許文献２参照）。
【０００４】
そして、このようにパネル体に取り付けた固定金具で天板を挟み込んで把持してパネル体を取り付ける方法は、比較的簡易な方法でありながら確実にパネル体をデスク本体に取り付けることができる。また、パネル体を取り付けるための加工をデスク本体に施す必要がないという大きな利点を有している。
【先行技術文献】
【特許文献】
【０００５】
【特許文献１】特開２０１０−００４９６１号公報
【特許文献２】特開２００８−０７３４６７号公報
【発明の概要】
【発明が解決しようとする課題】
【０００６】
しかしながら、パネル体に取り付けた固定金具で天板を把持してパネル体を取り付ける上記従来の方法においては、固定金具で挟み込もうとする天板の前端部分や後端部分に脚体などのデスク装置の構造部材が配設されていると、固定金具で天板を把持できないため、その位置にパネル体を取り付けることができないという問題があった。すなわち、パネル体の取付位置に制限が生じる場合があった。
【０００７】
特に、一般的なデスク装置においては、天板を強固に支持するため、脚体がデスク装置の左右の側端部側に配設されており、この脚体が邪魔になってデスク装置（天板）の側端部側の好適な位置にサイドパネルとしてのパネル体を取り付けることができず、位置をずらしてパネル体を設置するなどの不都合が生じていた。
【０００８】
本発明は、上記事情に鑑み、天板を支持する脚体があっても、デスク本体の天板上の空間を区画するためのパネル体を取付可能なパネル体の取付構造及びこれを備えたデスク装置を提供することを目的とする。
【課題を解決するための手段】
【０００９】
本発明のパネル体の取付構造は、左右に離間して配設された一対の脚体と、前記一対の脚体の上部間に架設された天板とを有するデスク本体の前記天板上に、パネル面を左右方向に向けて前後方向にパネル体を配設して取り付けるためのパネル体の取付構造であって、前記パネル体の前端部側あるいは後端部側に取り付けられ、前記パネル体に上端側を接続して前記パネル体の下端面よりも下方に垂下する垂下部、及び前記垂下部の下端から前記パネル体の前後方向中央側に向けて延びる固定部を有する取付金具と、前記脚体の前端部側あるいは後端部側の上端部側に設けられ、前記脚体の前端部あるいは後端部に開口しつつ前記脚体の前後方向中央側に向けて延び、前記取付金具の固定部が挿入される挿入凹所と、前記取付金具を下方に押圧するとともに前記パネル体の下端面を前記天板に押圧させて前記パネル体を前記デスク本体に固定する固定手段とを備えていることを特徴とする。
【００１０】
この発明においては、デスク本体を構成する脚体の前端部側あるいは後端部側の上端部側に設けられた挿入凹所に、パネル体の前端部側あるいは後端部側に取り付けた取付金具の固定部を挿入し、固定手段によって取付金具を下方に押圧しつつパネル体の下端面を天板に押圧させることで、パネル体をデスク本体に固定することができる。そして、このように脚体に設けた挿入凹所に固定部を挿入してパネル体を天板上に設置できるため、従来のように脚体が邪魔になって位置をずらすなどしてパネル体を設置することを不要にでき、パネル体の所望の取付位置に脚体があっても、好適にパネル体を取り付けることが可能になる。
【００１１】
また、本発明のパネル体の取付構造においては、前記固定手段が、前記取付金具の固定部に貫通形成されたネジ孔と、該ネジ孔に前記固定部の下面側から螺合された固定ネジとを備え、前記固定ネジは、先端が前記デスク本体に当接されていることが望ましい。
【００１２】
この発明においては、デスク本体を構成する脚体の前端部側あるいは後端部側の上端部側に設けられた挿入凹所に、パネル体の前端部側あるいは後端部側に取り付けた取付金具の固定部を挿入した状態で、固定部に形成されたネジ孔に固定部の下面側から固定ネジを螺合し、この固定ネジを螺入することによって取付金具の固定部を下方に押し下げ、パネル体の下端面を天板に押圧させることができる。これにより、パネル体をデスク本体に容易に且つ確実に（強固に且つ安定的に）取り付けることが可能になる。また、固定ネジの螺入／螺出操作によって、容易に且つ確実にパネル体をデスク本体に対し着脱することができる。
【００１３】
さらに、本発明のパネル体の取付構造においては、前記脚体に、前記ネジ孔に連通する挿通孔が形成されるとともに、該挿通孔が前記左右方向に延びる長孔として形成されていることがより望ましい。
【００１４】
この発明においては、脚体がある部分にパネル体を取り付ける際に、脚体に形成した挿通孔が長孔であることにより、この長孔の範囲内で、固定ネジを移動させることができ、パネル体の取付位置を調整することができる。これにより、例えば、サイドパネルとしてパネル体を天板上に設置する場合に、パネル体の取付位置を調整して、容易に天板やデスク本体の側端部位置とパネル体のパネル面、側端部の位置を合わせることが可能になる。
【００１５】
また、本発明のパネル体の取付構造においては、前記固定ネジの先端は、前記天板の下面に当接されていてもよい。
【００１６】
この発明においては、取付金具の固定部のネジ孔に螺合した固定ネジの先端を天板の下面に当接させ、この状態で固定ネジを螺入することにより、取付金具の固定部を下方に押し下げ、パネル体の下端面を天板に押圧させることができる。これにより、固定ネジの螺入／螺出操作によって、パネル体をデスク本体に対し容易に且つ確実に着脱することが可能になる。
【００１７】
また、このように構成した場合、パネル体の下端面と取付金具の固定部の間に天板の前端部側あるいは後端部側を挿入し、ネジ孔に螺合した固定ネジの先端を天板の下面に当接させつつ固定ネジを螺入して、パネル体をデスク本体に固定することができる。このため、脚体がある部分だけでなく、デスク本体（天板）の任意の位置に容易に且つ確実にパネル体を取り付けることができる。
【００１８】
本発明のデスク装置は、左右に離間して配設された一対の脚体と、前記一対の脚体の上部間に架設された天板とを有するデスク本体の前記天板上に、パネル面を左右方向に向けて前後方向にパネル体を配設して取り付けるためのパネル体の取付構造を備え、前記パネル体の取付構造が上記のいずれかのパネル体の取付構造であることを特徴とする。
【００１９】
この発明においては、上記のパネル体の取付構造による作用効果を得ることができる。
【発明の効果】
【００２０】
本発明のパネル体の取付構造及びこれを備えたデスク装置においては、脚体に設けた挿入凹所に固定部を挿入してパネル体を天板上に設置できる。これにより、従来のように脚体が邪魔になって位置をずらすなどしてパネル体を設置することを不要にでき、パネル体の所望の取付位置に脚体があっても、好適にパネル体を取り付けることが可能になる。
【図面の簡単な説明】
【００２１】
【図１】本発明の一実施形態に係るデスク装置を示す斜視図である。
【図２】本発明の一実施形態に係るデスク装置を示す斜視図である。
【図３】本発明の一実施形態に係るデスク装置のデスク本体を示す側面図である。
【図４】本発明の一実施形態に係るパネル体の取付構造を示す図である。
【図５】本発明の一実施形態に係るパネル体（サイドパネル）の取付構造を示す図である。
【図６】本発明の一実施形態に係るパネル体（中間パネル）の取付構造を示す図である。
【図７】本発明の一実施形態に係るパネル体の取付構造を示す斜視図であり、脚体の端部の挿入凹所を示す図である。
【図８】本発明の一実施形態に係るパネル体の取付構造によってパネル体を脚体以外の部分に取り付けた状態を示す図である。
【図９】本発明の一実施形態に係るパネル体の取付構造の変形例を示す斜視図であり、脚体の端部の挿入凹所を示す図である。
【発明を実施するための形態】
【００２２】
以下、図１から図８を参照し、本発明の一実施形態に係るパネル体の取付構造及びこれを備えたデスク装置について説明する。ここで、本実施形態では、本発明にかかるデスク装置が、例えばオフィスやトレーダールーム等の執務空間で使用され、天板下などの内部に複数台の電子機器を収容可能に構成したデスク装置（デスクシステム）であるものとして説明を行う。なお、本発明にかかるデスク装置は、電子機器を収容可能に構成されていることに限定する必要はない。
【００２３】
本実施形態のデスク装置Ａは、図１及び図２に示すように、脚体１及び天板２を有するデスク本体３と、天板２上の空間を区画する仕切りパネル（中間パネル）４やサイドパネル５といったパネル体４、５とを備えて構成されている。また、本実施形態では、２つのデスク本体３を左右方向Ｔ１に並設してデスク装置Ａが構成されている。さらに、天板２上の背面側には、例えば通路と天板２の上面との仕切りや、他者の視線を遮るために用いられる背面パネル６が、前後方向Ｔ２にパネル面を向け、左右方向Ｔ１に沿って配設されている。
【００２４】
さらに、本実施形態では、デスク本体３が、図１から図３に示すように、左右に離間して配設された一対の脚体１と、一対の脚体１の上部間に架設された天板２とを備えて構成されるとともに、天板２と床面との間に、電子機器が収容される電子機器収容部７と、電子機器収容部７の空気を外部に排出する排熱ファンが収容される排熱ファン収容部８と、電子機器に接続する配線が収容される配線収容部９とを有する内部空間を形成するようにして構成されている。
【００２５】
また、各脚体１は、図３（図１、図２参照）に示すように、デスク本体３の前方側と後方側にそれぞれ配設されるとともに、前後方向Ｔ２に所定の間隔をあけて立設された前側支柱１０及び後側支柱１１と、前側支柱１０と後側支柱１１の間の上部側と下部側にそれぞれ配設され、前側支柱１０と後側支柱１１を連結する上側横材１２及び下側横材１３と、上側横材１２の上端部に後端部側を接続して前後方向Ｔ２前方側に延設された天板支持材１４と、前側支柱１０や後側支柱１１の下端部側にそれぞれ、上下方向Ｔ３に伸縮可能に取り付けられ、各支柱１０、１１の高さ位置を調節するアジャスター１５とを備えて形成されている。
【００２６】
また、本実施形態において、天板支持材１４は、角管状の支持本体部材１６の前端に端部キャップ１７を着脱可能に取り付けて構成されている。
【００２７】
そして、本実施形態のデスク装置Ａは、デスク本体３の一対の脚体１の天板支持材１４上に載置し、これら一対の天板支持材１４で支持して天板２が配設されている。また、このとき、天板２は、その前端部２ａが、各天板支持材１４の端部キャップ１７で形成される前端部（脚体１の前端部１ａ）と前後方向Ｔ２の略同位置に配されるようにして設置されている。さらに、天板２の後端部２ｂとデスク本体３の背面の後端部との前後方向Ｔ２の間に、前記内部空間の空気を排出するための排気孔を備えた蓋材１８が設置されている。さらに、天板２の下に、前記内部空間を区画する扉材１９などが取り付けられている。
【００２８】
一方、本実施形態のデスク装置Ａは、２つのデスク本体３を左右方向Ｔ１に並べた状態で、左右方向Ｔ１両側端部側の脚体部分の天板２上にサイドパネルとしてパネル体５が取り付けられ、左右方向Ｔ１中間部の脚体部分の天板２上に仕切りパネルとして１枚のパネル体４が取り付けられている。そして、各パネル体４、５は、デスク装置Ａに具備されたパネル体の取付構造Ｂによって天板２上に取り付けられている。
【００２９】
本実施形態のパネル体の取付構造Ｂは、図３から図５に示すように、パネル体５（４）の前端部５ａ（４ａ）側に取り付けられた取付金具２０と、脚体１の前端部１ａ側の上端部側に設けられた挿入凹所２１と、取付金具２０を下方に押圧するとともにパネル体５（４）の下端面５ｂ（４ｂ）を天板２に押圧させてパネル体５（４）をデスク本体３に固定するための固定手段２２とを備えて構成されている。ここで、本実施形態では、パネル体の取付構造Ｂがデスク装置Ａの前端部側に設けられているものとして説明を行うが、このパネル体の取付構造Ｂを後端部側に設けてパネル体５（４）を取り付けるようにしてもよい。
【００３０】
本実施形態の取付金具２０は、図４に示すように、水平方向（前後方向Ｔ２）に延びる接続部２５と、接続部２５の一端から接続部２５に直交して下方に垂下する垂下部２６と、垂下部２６の下端から水平方向Ｔ２に延びる固定部２７とを備えてコ字状に形成されている。また、この取付金具２０は、例えば金属製の平板材を折り曲げ加工して形成したものであり、接続部２５と固定部２７はその板面が上下方向Ｔ３を向き、垂下部２６は板面が水平方向（前後方向Ｔ２）を向くようにして形成されている。
【００３１】
さらに、本実施形態の取付金具２０は、接続部２５に、下面から上面に貫通する貫通孔２８が形成されている。また、固定部２７には、下面から上面に貫通するネジ孔２９が形成されている。この固定部２７のネジ孔２９は、このネジ孔２９に固定部２７の下面側から螺合する固定ネジ３０とともに固定手段２２の構成要素とされている。
【００３２】
このように形成した取付金具２０は、パネル体５（４）に接続部２５を接続して（垂下部２６の上端部側を接続して）取り付けられている。このとき、図４及び図５に示すように、パネル体５（４）の前端部５ａ（４ａ）側の下端部側、且つパネル体５（４）の幅方向中央部分に、下端面（５ｂ、４ｂ）から上方に向けて凹み、前後方向Ｔ２に延びる溝部３１が形成されている。また、パネル体５（４）には、溝部３１の底面に開口して穿設された接続ネジ孔３２が形成されている。
【００３３】
そして、取付金具２０は、その延設方向を前後方向Ｔ２に向けて接続部２５をパネル体５（４）の溝部３１に挿入するとともに、接続部２５の貫通孔２８を溝部３１の接続ネジ孔３２に連通させ、接続部２５の下面側から貫通孔２８に挿通した接続ネジ３３を接続ネジ孔３２に締結して、パネル体５（４）に接続されている。また、このように接続部２５をパネル体５（４）に接続した状態で、垂下部２６がパネル体５（４）の前端部５ａ（４ａ）側に配設されるとともに、パネル体５（４）の下端面５ｂ（４ｂ）よりも下方に垂下して配設され、垂下部２６の下端から固定部２７がパネル体５（４）の前後方向Ｔ２中央側に向けて延設される。
【００３４】
また、本実施形態において、脚体部分の天板２上にサイドパネルとして設置するパネル体５に取り付けられる取付金具２０は、図４及び図５に示す通り、接続部２５と垂下部２６に繋がる１つの固定部２７を備えてコ字状に形成されている。これに対し、デスク装置Ａの左右方向Ｔ１の中間部の天板２上に仕切りパネルとして設置するパネル体４に取り付けられる取付金具２０は、図４及び図６に示す通り、接続部２５と垂下部２６から２股に分岐するように繋がる２つの固定部２７を備えてコ字状に形成されている。
【００３５】
次に、脚体１の前端部１ａ側の上端部側に設けられる挿入凹所２１は、図４及び図７（図５、図６参照）に示すように、取付金具２０の固定部２７を挿入するための空間であり、脚体１の前端部１ａに開口しつつ脚体１の前後方向Ｔ２中央側に向けて延設されている。
【００３６】
ここで、本実施形態では、この挿入凹所２１が脚体１の天板支持材１４の前端部側に設けられている。具体的に、図７に示すように、脚体１の天板支持材１４は、前述の通り、角管状の支持本体部材１６の前端に端部キャップ１７を着脱可能に取り付けて構成されている。そして、端部キャップ１７は、ブロック状に形成され、軸線Ｏ１方向後端側に設けられ、支持本体部材１６の前端の開口から内部に挿入して嵌合する嵌合部３５と、前端側に設けられ、支持本体部材１６の前端の開口よりも大きく形成されて天板支持材１４の前端部１ａを形成する表出部３６とを備えている。そして、嵌合部３５の上端側には、上面から下面側に向けて凹みを後端に開口する断面方形状の挿入凹所２１が形成され、この挿入凹所２１が、嵌合部３５との接続部分において後端側を向く表出部３６の後端面から軸線Ｏ１方向に貫通して表出部３６の前端部１ａに開口して形成されている。
【００３７】
また、嵌合部３５には、下面から挿入凹所２１の底面（上面）に貫通して挿通孔３７が形成されている。さらに、本実施形態において、この挿通孔３７は、天板支持材１４の幅方向である左右方向Ｔ１に延びる長孔として形成されるとともに、嵌合部３５の下面側を拡幅し、固定ネジ３０の頭部を係止するための段部３７ａを備えて形成されている。また、この挿通孔３７は、天板支持材１４の前端部１ａの挿入凹所２１の開口から取付金具２０の固定部２７を挿入凹所２１に挿入した状態で（図４参照）、固定部２７のネジ孔２９と上下に連通する位置に配設されている。
【００３８】
また、端部キャップ１７の嵌合部３５には、挿通孔３７よりも軸線Ｏ１方向後端側で、且つ取付金具２０の固定部２７を挿入凹所２１に挿入した状態で、固定部２７の後端位置よりも軸線Ｏ１方向後端側に、下面から挿入凹所２１の底面に貫通する天板接続用挿通孔３８が形成されている。
【００３９】
一方、天板支持材１４の支持本体部材１６には、支持本体部材１６に嵌合部３５を嵌合させて端部キャップ１７を取り付けた状態で、嵌合部３５に形成した挿通孔３７に上下方向Ｔ３で重なって連通する長孔の挿通孔４０と、嵌合部３５に形成した天板接続用挿通孔３８に上下方向で重なって連通する天板接続用挿通孔４１とがそれぞれ貫通形成されている。そして、本実施形態では、取付金具２０の固定部２７に形成したネジ孔２９と、固定ネジ３０と、脚体１に形成した挿通孔３７、４０とによって、固定手段２２が構成されている。
【００４０】
次に、上記構成からなる本実施形態のパネル体の取付構造Ｂによってパネル体５（４）をデスク本体３に取り付ける際には、予め、図４及び図７に示すように、脚体１の天板支持材１４の支持本体部材１６の前端に端部キャップ１７を取り付ける。このように端部キャップ１７を取り付けると、嵌合部３５に形成した天板接続用挿通孔３８が支持本体部材１６に形成した天板接続用挿通孔４１と連通するとともに、これら天板接続用挿通孔３８、４１と、天板２の下面に形成された接続ネジ孔４２とが連通する。そして、天板支持材１４の下面側から天板接続用挿通孔３８、４１に接続ネジ４３を挿通して天板２の接続ネジ孔４２に螺合し、脚体１（端部キャップ１７）と天板２を接続する。
【００４１】
次に、図４に示すように、パネル体５（４）の下端部に取り付けた取付金具２０の接続部２５と固定部２７の間に、天板２の端部２ａ側を挿入するとともに、取付金具２０の固定部２７を脚体１の天板支持材１４の前端部１ａに開口する挿入凹所２１に挿入し、パネル体５（４）を脚体部分の天板２上に設置する。このとき、例えば、取付金具２０の垂下部２６が天板２の前端部２ａに当接するようにパネル体５（４）を配置すると、挿入凹所２１に挿入した取付金具２０の固定部２７のネジ孔２９と、脚体１の挿通孔３７、４０とが上下方向Ｔ３に連通する。
【００４２】
次に、脚体１の下面側から脚体１の挿通孔３７、４０に固定ネジ３０を挿通し、取付金具２０の固定部２７のネジ孔２９に螺合する。そして、この固定ネジ３０を順次螺入してゆくと、取付金具２０の固定部２７が下方に押し下げられ、取付金具２０が下方に押圧される。さらに、この取付金具２０の接続部２５及び垂下部２６を介して接続したパネル体５（４）が固定ネジ３０を螺入するとともに下方に押圧され、このパネル体５（４）の下端面５ｂ（４ｂ）が天板２に押圧される。これにより、パネル体５（４）がデスク本体３の脚体部分の天板２上に固定して取り付けられることになる。
【００４３】
また、このとき、本実施形態のパネル体の取付構造Ｂにおいては、固定ネジ３０を挿通する脚体１の挿通孔３７、４０が長孔として形成されている。このため、例えば図５（ａ）、（ｂ）に示すように、固定ネジ３０の位置を長孔の範囲で左右方向Ｔ１にずらすことができる。これにより、天板２上のパネル体５（４）の位置の微調整が行なえ、サイドパネルとしてパネル体５を天板２上に設置する場合などに、パネル体５（４）の取付位置を調整して、容易に天板２やデスク本体３の側端部位置とパネル体５（４）のパネル面の位置合わせが行なえることになる。
【００４４】
一方、本実施形態のパネル体の取付構造Ｂにおいて、脚体以外の部分にパネル体４、５を取り付けたい場合には、図８に示すように、パネル体４、５の下端部４ｂ、５ｂに取り付けた取付金具２０の接続部２５と固定部２７の間に、天板２の端部２ａ側を挿入し、固定部２７のネジ孔２９に固定ネジ３０を螺合する。そして、螺合した固定ネジ３０の先端を天板２の下面に当接させつつ固定ネジ３０を順次螺入してゆくと、取付金具２０の固定部２７が下方に押し下げられ、取付金具２０が下方に押圧される。さらに、この取付金具２０の接続部２５及び垂下部２６を介して接続したパネル体４、５が固定ネジ３０を螺入するとともに下方に押圧され、このパネル体４、５の下端面４ｂ、５ｂが天板２に押圧される。これにより、天板２をパネル体４、５の下端面４ｂ、５ｂと固定ネジ３０の先端の間で挟み込むようにして、パネル体４、５がデスク本体３の脚体以外の部分の天板２上で固定して取り付けられる。
【００４５】
したがって、本実施形態のパネル体の取付構造Ｂ及びデスク装置Ａにおいては、デスク本体３を構成する脚体１の前端部１ａ側（あるいは後端部側）の上端部側に設けられた挿入凹所２１に、パネル体４、５の前端部４ａ、５ａ側（あるいは後端部側）に取り付けた取付金具２０の固定部２７を挿入し、固定手段２２によって取付金具２０を下方に押圧しつつパネル体４、５の下端面４ｂ、５ｂを天板２に押圧させることで、パネル体４、５をデスク本体３に固定することができる。
【００４６】
そして、このように脚体１に設けた挿入凹所２１に固定部２７を挿入してパネル体４、５を天板２上に設置できるため、従来のように脚体１が邪魔になって位置をずらすなどしてパネル体４、５を設置することを不要にでき、パネル体４、５の所望の取付位置に脚体１があっても、好適にパネル体４、５を取り付けることが可能になる。
【００４７】
また、本実施形態のパネル体の取付構造Ｂ及びデスク装置Ａにおいては、挿入凹所２１に、パネル体４、５の前端部４ａ、５ａ側（あるいは後端部側）に取り付けた取付金具２０の固定部２７を挿入した状態で、固定部２７に形成されたネジ孔２９に固定部２７の下面側から固定ネジ３０を螺合し、この固定ネジ３０を螺入することによって取付金具２０の固定部２７を下方に押し下げ、パネル体４、５の下端面４ｂ、５ｂを天板２に押圧させることができる。これにより、パネル体４、５をデスク本体３に容易に且つ確実に（強固に且つ安定的に）取り付けることが可能になる。また、固定ネジ３０の螺入／螺出操作によって、容易に且つ確実にパネル体４、５をデスク本体３に対し着脱することができる。
【００４８】
さらに、脚体１がある部分にパネル体４、５を取り付ける際に、脚体１に形成した挿通孔３７、４０が長孔であることにより、この長孔３７、４０の範囲内で、固定ネジ３０を移動させることができ、パネル体４、５の取付位置を調整することができる。これにより、例えば、サイドパネルとしてパネル体５を天板２上に設置する場合に、パネル体５の取付位置を調整して、容易に天板２やデスク本体３の側端部位置とパネル体５のパネル面の位置を合わせることが可能になる。
【００４９】
また、取付金具２０の固定部２７のネジ孔２９に螺合した固定ネジ３０の先端を天板２の下面に当接させ、この状態で固定ネジ３０を螺入することにより、取付金具２０の固定部２７を下方に押し下げ、パネル体４、５の下端面４ｂ、５ｂを天板２に押圧させることもできる。これにより、固定ネジ３０の螺入／螺出操作によって、パネル体４、５をデスク本体３に対し容易に且つ確実に着脱することが可能になる。
【００５０】
また、このように構成した場合、パネル体４、５の下端面４ｂ、５ｂと取付金具２０の固定部２７の間に天板２の前端部２ａ側（あるいは後端部側）を挿入し、ネジ孔２９に螺合した固定ネジ３０の先端を天板２の下面に当接させつつ固定ネジ３０を螺入して、パネル体４、５をデスク本体３に固定することができる。このため、脚体１がある部分だけでなく、デスク本体３（天板２）の任意の位置に容易に且つ確実にパネル体４、５を取り付けることができる。
【００５１】
以上、本発明に係るパネル体の取付構造及びデスク装置の一実施形態について説明したが、本発明は上記の一実施形態に限定されるものではなく、その趣旨を逸脱しない範囲で適宜変更可能である。
【００５２】
例えば、図９に示すように、端部キャップ１７の上面から下面に向けて凹み、前端から後端まで連続して上方に開口するように挿入凹所２１を形成してもよい。この場合には、端部キャップ１７を射出成形などで製作する際に、図７の端部キャップ１７と比較し、金型の形状が簡易となるため、容易に且つ低コストで端部キャップ１７を製造することが可能になる。
【００５３】
また、本発明にかかる脚体は、本実施形態のように限定する必要はなく、少なくとも前端部あるいは後端部に開口して前後方向に延び、取付金具２０の固定部２７を挿入する挿入凹所２１を備えていればよい。
【００５４】
また、本実施形態では、端部キャップ１７を支持本体部材１６の前端に着脱可能に取り付けて天板支持材１４ひいては脚体１が構成されているものとしたが、端部キャップ１７を固着して脚体１を構成するようにしてもよい。
【符号の説明】
【００５５】
１      脚体
１ａ    前端部
２      天板
２ａ    前端部
２ｂ    後端部
３      デスク本体
４      パネル体
４ａ    前端部
４ｂ    下端面
５      パネル体
５ａ    前端部
５ｂ    下端面
６      背面パネル
７      電子機器収容部
８      排熱ファン収容部
９      配線収容部
１０    前側支柱
１１    後側支柱
１２    上側横材
１３    下側横材
１４    天板支持材
１５    アジャスター
１６    支持本体部材
１７    端部キャップ
１８    蓋材
１９    扉材
２０    取付金具
２１    挿入凹所
２２    固定手段
２５    接続部
２６    垂下部
２７    固定部
２８    貫通孔
２９    ネジ孔
３０    固定ネジ
３１    溝部
３２    接続ネジ孔
３５    嵌合部
３６    表出部
３７    挿通孔
３７ａ  段部
３８    天板接続用挿通孔
４０    挿通孔
４１    天板接続用挿通孔
４２    接続ネジ孔
４３    接続ネジ
Ａ      デスク装置
Ｂ      パネル体の取付構造
Ｏ１    軸線
Ｔ１    左右方向
Ｔ２    前後方向
Ｔ３    上下方向
【図１】
0005934493.tif 000002
【図２】
0005934493.tif 000003
【図３】
0005934493.tif 000004
【図４】
0005934493.tif 000005
【図５】
0005934493.tif 000006
【図６】
0005934493.tif 000007
【図７】
0005934493.tif 000008
【図８】
0005934493.tif 000009
【図９】
0005934493.tif 000010